(57)【要約】【課題】  動画像撮影中の任意の時点で静止画像を撮影する際、動画像を途切れさせることなく高精細な静止画像を得ることを課題とする。【解決手段】  画素毎の光電変換により画像信号を生成するための撮像素子と、撮像素子の複数の画素からｍフィールド（ｍは２以上の自然数）に分けて順次画像信号を読み出す第１の読み出し手段と、ｍフィールドのうちの特定の１フィールドの画像信号を連続して読み出す第２の読み出し手段と、読み出したｍフィールドの画像信号を基にｍフィールドの動画像信号を生成すると共に１フレームの静止画像信号を生成する第１の画像生成手段と、連続して読み出した特定の１フィールドの画像信号を基に動画像信号を生成する第２の画像生成手段とを有する撮像装置が提供される。【選択図】        図８
2006238205.tif 000002
【特許請求の範囲】
【請求項１】
画素毎の光電変換により画像信号を生成するための撮像素子と、
前記撮像素子の複数の画素からｍフィールド（ｍは２以上の自然数）に分けて順次画像信号を読み出す第１の読み出し手段と、
前記ｍフィールドのうちの特定の１フィールドの画像信号を連続して読み出す第２の読み出し手段と、
前記読み出したｍフィールドの画像信号を基にｍフィールドの動画像信号を生成すると共に１フレームの静止画像信号を生成する第１の画像生成手段と、
前記連続して読み出した特定の１フィールドの画像信号を基に動画像信号を生成する第２の画像生成手段と
を有することを特徴とする撮像装置。
【請求項２】
前記第１の画像生成手段は、前記読み出したｍフィールドの画像信号の各重心を補正することによりｍフィールドの動画像信号を生成することを特徴とする請求項１記載の撮像装置。
【請求項３】
前記第１の画像生成手段は、前記読み出したｍフィールドの画像信号を間引くことによりｍフィールドの動画像信号を生成することを特徴とする請求項１又は２記載の撮像装置。
【請求項４】
静止画撮影が指示されたときは前記第１の読み出し手段により画像信号が読み出され前記第１の画像生成手段により画像信号が生成され、静止画撮影が指示されないときは前記第２の読み出し手段により画像信号が読み出され前記第２の画像生成手段により画像信号が生成されることを特徴とする請求項１〜３のいずれか１項に記載の撮像装置。
【請求項５】
さらに、前記撮像素子に入射する光を遮断するためのメカニカルシャッタを有し、
前記第１の読み出し手段は、前記ｍフィールドの画像信号を順次読み出す際に、前記メカニカルシャッタを閉じることにより光を遮断することを特徴とする請求項１〜４のいずれか１項に記載の撮像装置。
【請求項６】
前記撮像素子は、第１の色と第２の色とが第１の色と第２の色の順序で交互に配置されたラインと、第３の色と第１の色とが第３の色と第１の色の順序で交互に配置されたラインとが交互に配置されており、
前記第１の読み出し手段は、３フィールドに分けて順次画像信号を読み出し、
前記第２の読み出し手段は、前記３フィールドのうちの特定の１フィールドの画像信号を連続して読み出すことを特徴とする請求項１〜５のいずれか１項に記載の撮像装置。
【請求項７】
画素毎の光電変換により画像信号を生成するための撮像素子を有する撮像装置の撮像方法であって、
前記撮像素子の複数の画素からｍフィールド（ｍは２以上の自然数）に分けて順次画像信号を読み出す第１の読み出しステップと、
前記ｍフィールドのうちの特定の１フィールドの画像信号を連続して読み出す第２の読み出しステップと、前記読み出したｍフィールドの画像信号を基にｍフィールドの動画像信号を生成すると共に１フレームの静止画像信号を生成する第１の画像生成ステップと、
前記連続して読み出した特定の１フィールドの画像信号を基に動画像信号を生成する第２の画像生成ステップと
を有することを特徴とする撮像方法。
【発明の詳細な説明】
【技術分野】
【０００１】
本発明は、撮像装置及び撮像方法に関する。
【背景技術】
【０００２】
近年、ＣＣＤ等の撮像素子を用いて静止画像あるいは動画像を得るデジタルカメラが数多く開発されている。これらのカメラの動画像は当初フレーミングに使用する程度であったが、現在では動画記録が必須の付帯機能となっており、今後は標準のテレビジョン（おおよそＶＧＡサイズ（６４０×４８０）、秒３０コマ程度）を越える更なる高精細、高フレームレート化が進むとみられている。
【０００３】
動画像の高精細化に伴い市場要望としてあがってくるのが、動画像の任意の時点での静止画切り出し機能である。現在の動画記録機能は、圧縮方式は各種あるものの基本的にはＶＧＡ程度の画像を並べているだけなので、あるポイントを抜き出して静止画として扱ってもプリント等を行うのに十分な解像度を得ることができない。
【０００４】
そこで、動画像の表示・記録中に高解像度の静止画を撮影する機能を具備する撮像装置が提案されている。（例えば、特許文献１、２参照）
【０００５】
【特許文献１】特開平５−２４４５５３号公報
【特許文献２】特開２００４−８０３５４号公報
【発明の開示】
【発明が解決しようとする課題】
【０００６】
しかしながら上記特許文献１においては、動画像を撮影する動画像撮影装置と、静止画を撮影する静止画撮影装置の両装置を設置するシステムとなっており、高価かつサイズの大きいシステムとなってしまう。特許文献２においては、動画及び静止画で撮影装置は共用できるが、動画像を記録している途中で静止画像を記録しようとすると動画像が中断してしまう。
【０００７】
本発明は、上記課題を鑑みたものであり、その目的は、動画像撮影中の任意の時点で静止画像を撮影する際、表示・記録中の動画像を途切れさせることなく高精細な静止画像を得ることができる撮像装置及び撮像方法を提供することにある。
【課題を解決するための手段】
【０００８】
本発明の撮像装置は、画素毎の光電変換により画像信号を生成するための撮像素子と、前記撮像素子の複数の画素からｍフィールド（ｍは２以上の自然数）に分けて順次画像信号を読み出す第１の読み出し手段と、前記ｍフィールドのうちの特定の１フィールドの画像信号を連続して読み出す第２の読み出し手段と、前記読み出したｍフィールドの画像信号を基にｍフィールドの動画像信号を生成すると共に１フレームの静止画像信号を生成する第１の画像生成手段と、前記連続して読み出した特定の１フィールドの画像信号を基に動画像信号を生成する第２の画像生成手段とを有することを特徴とする。
【０００９】
本発明の撮像方法は、画素毎の光電変換により画像信号を生成するための撮像素子を有する撮像装置の撮像方法であって、前記撮像素子の複数の画素からｍフィールド（ｍは２以上の自然数）に分けて順次画像信号を読み出す第１の読み出しステップと、前記ｍフィールドのうちの特定の１フィールドの画像信号を連続して読み出す第２の読み出しステップと、前記読み出したｍフィールドの画像信号を基にｍフィールドの動画像信号を生成すると共に１フレームの静止画像信号を生成する第１の画像生成ステップと、前記連続して読み出した特定の１フィールドの画像信号を基に動画像信号を生成する第２の画像生成ステップとを有することを特徴とする。
【発明の効果】
【００１０】
動画像撮影中の任意の時点で静止画像を撮影する際、動画像を途切れさせることなく高精細な静止画像を得ることができる。
【発明を実施するための最良の形態】
【００１１】
以下、本発明の実施の形態について図面を参照して説明する。
（第１の実施形態）
図１は、本発明の第１の実施形態に係るデジタルカメラの概略構成を示すブロック図である。レンズなどからなる光学系１１は、被写体像をＣＣＤ１２の受光面に結像する。ＣＣＤ１２は、その受光面に結像された被写体の光信号を光電変換して画素毎に電気信号（電荷）を生成する撮像素子である。また、光学系１１とＣＣＤ１２との間には、メカシャッタ（メカニカルシャッタ）１３が配置され、このメカシャッタ１３を閉じることでＣＣＤ１２へ入射する光を遮断することができる。
【００１２】
ＣＣＤ駆動のタイミングパルスを発生するＣＣＤ駆動装置１４によって駆動されたＣＣＤ１２の出力は、サンプルホールド（Ｓ／Ｈ）、ゲインアンプ及びアナログデジタル変換（Ａ／Ｄ）回路を含むプリプロセス回路１５によってデジタル化され、デジタルプロセス回路１６に取り込まれる。デジタルプロセス回路１６では、ガンマ処理、色信号処理などの各種デジタル信号処理を行う。この際、画像信号をメモリ１７との間で書き込み／読み出し処理している。また、デジタルプロセス回路１６の出力はディスプレイ（表示手段：ＬＣＤ）１８に出力することも可能となっている。
【００１３】
デジタルプロセス回路１６で画像処理が施された画像データは、画像変換回路１９を介して圧縮され、メモリカード２０に書き込まれ、記録される。画像変換回路（記録手段）１９は、デジタルプロセス回路１６からの画像データを圧縮してメモリカード２０へ記録（出力）する機能と、メモリカード２０より読み出した画像データを伸長してデジタルプロセス回路１６へ出力する機能を有している装置である。
【００１４】
また、光学系１１、メカシャッタ１３、ＣＣＤ駆動装置１４、プリプロセス回路１５、デジタルプロセス回路１６、画像変換回路１９、メモリカード２０のそれぞれは、カメラ制御部２１によって制御されている。このカメラ制御部２１には、レリーズや出力画像サイズ切り替え、読み出しモード切り替えなどの機能を有する操作部２２が接続されている。
【００１５】
次に、本実施形態のデジタルカメラに用いられるインターライン型ＣＣＤ１２の構成について説明する。図２はＣＣＤ１２の構成を示している。ＣＣＤ１２はインターライン型の固体撮像素子であり、マトリクス状に配列されて入射した光を画素毎に電荷に変換する複数の光電変換素子(画素)１と、この画素１のそれぞれに蓄えられた信号電荷を読み出して垂直方向に転送する垂直転送部(ＶＣＣＤ)２と、この垂直転送部２から転送されてきた１ライン分の信号電荷を水平方向に転送する水平転送部(ＨＣＣＤ)３と、この水平転送部３から転送されてきた信号電荷を電気信号に変換する出力アンプ部４を備えている。光電変換素子１は、例えばフォトダイオードである。固体撮像素子（ＣＣＤ）１２は、画素毎の光電変換により画像信号を生成する。
【００１６】
図３は画素配列をあらわしており、この実施形態では２，４００（Ｈ）列×１，８００（Ｖ）行の画素数、３フィールド読み出しと仮定している。また、色フィルタの配列はＲ及びＧが水平方向に交互に並んでいるＲＧラインとＧ及びＢが水平方向に交互に並んでいるＧＢラインがある、いわゆるベイヤ配列として説明する。
【００１７】
また、図４（ａ）、（ｂ）、（ｃ）の網掛けの画素がそれぞれＡ，Ｂ，Ｃフィールドで読み出される画素（各フィールド２，４００（Ｈ）列×６００（Ｖ）行）、Ａ，Ｂ，Ｃは３フィールドの各フィールド名とする。
【００１８】
本実施形態のデジタルカメラにおける第１の撮影モードとして、静止画撮影モードについて図５のタイミングチャートを用いて説明する。ＶＤは垂直同期信号、レリーズ信号はユーザーが操作部２２に配置されたレリーズ釦を押下することにより発生する信号、メカシャッタ１３は開閉により露光を制御し、電子シャッタはＣＣＤ駆動装置１４で生成されたパルスをＣＣＤ１２の基板電位に加え、画素１の電荷を基板方向に抜き取ることで露光を制御する。高速掃き出し（掃き捨て）動作は、垂直転送部(ＶＣＣＤ)２を高速で動作させ、垂直転送部２に溜まったスミアなどの信号を転送路外に掃き出す動作である。また、読み出しパルスはＣＣＤ駆動装置１４にて生成され、それぞれ対応するフィールドの画素１に蓄積された信号を垂直転送部２へ読み出すために印加されるパルスである。
【００１９】
本実施形態のデジタルカメラにおいて静止画を撮影する際は、レリーズ後、所定の露光時間を経てメカシャッタ１３が閉じられ、各画素１にその被写体の光量に応じた量の電荷が蓄積される。その後、画素の電荷を３フィールドに分割して垂直転送部２に読み出し、垂直転送部２及び水平転送部３を経由して転送する。また、各フィールドの画素を読み出す前に高速掃き出し期間を設け、垂直転送部２に残留するスミア成分等の除去を行う。この高速掃き出し期間が存在する点も、高速掃き出しを行わずに連続的に読み出す動画撮影に対し、本実施形態の静止画撮影の特徴である。図５は上記を図示したもので、レリーズ信号の後、電子シャッタパルスを印加して画素１の電荷を抜き取り、所定の露光時間を経てメカシャッタ１３を閉じた後、垂直同期信号ＶＤの周期で読み出しパルス印加とともにＣＣＤからＡ、Ｂ、Ｃフィールドの画素を順次読み出している。各読み出しの前には上記高速掃き出し期間が設けられている。各フィールドの画素（各２，４００×６００）は読み出された後、プリプロセス回路１５、デジタルプロセス回路１６を経てメモリ１７に蓄積され、さらにメモリ１７上の３フィールドの画像は画像処理を経て静止画像（２，４００×１，８００）として生成される。これはメモリカード２０に記録され、またＬＣＤ１８に表示される。
【００２０】
続いて、本実施形態のデジタルカメラにおける第２の撮影モードとして、動画撮影モードについて、図６のタイミングチャートを用いて説明する。
【００２１】
本実施形態のデジタルカメラにおける動画像は、フレームレート、ファイルサイズ等を鑑みて画像サイズは静止画像の１／３程度の垂直本数でよいと考え、全画素のうちＡフィールドの画素のみを読み出して、動画像とすることとしている。このとき、垂直と同様の間引き率で水平方向の画素も間引くので、最終的な動画像の画素数は、静止画２，４００×１，８００に対して、８００×６００となる。
【００２２】
本実施形態における動画像の撮影は、図６に示すとおりであり、垂直同期信号ＶＤの周期で読み出しパルス印加とともにＣＣＤからＡフィールドの画素が読み出され、プリプロセス回路１５、デジタルプロセス回路１６、メモリ１７における画像処理を経て生成された動画像がメモリカード２０に記録、あるいはＬＣＤ１８に表示される。
【００２３】
各フィールド画像の露光時間の調節は電子シャッタパルスの印加数の調節によって行われる。メカシャッタ閉及び高速掃き出し動作は行われない。
【００２４】
また、各垂直同期信号ＶＤ期間にて読み出されるＡフィールドの信号は２，４００×６００のサイズであるが、画像処理の最中に水平方向の画素が１／３に間引かれ、８００×６００のサイズに変更される。そして、図６に示すとおり、動画像としてメモリカード２０に記録、あるいはＬＣＤ１８に表示される。図７（ａ）は、網掛けの画素がＣＣＤから読み出される画素（Ａフィールドの画素）のうち動画像として使用される画素をあらわし、斜線の画素が水平方向に間引かれる画素をあらわしている。図７（ｂ）は、間引き後の画素８００×６００をあらわしている。
【００２５】
続いて、本実施形態のデジタルカメラにおける第３の撮影モードとして、動画中静止画撮影モードについて説明する。
【００２６】
はじめに、本発明の第１の実施形態に関わる動画中静止画撮影モードについて、図８を用いて説明する。
【００２７】
動画中静止画撮影モードでは、ユーザーが操作部２２に配置されたレリーズ釦を押下することによりレリーズ信号が発生され、その信号にともない静止画撮影を開始するものとする。レリーズ信号発生前の動画像撮影については、上記の第２の撮影モードである動画像撮影モードと同等であるので、説明は省略する。
【００２８】
レリーズ信号発生後について説明する。レリーズ信号が発生されると、次の垂直同期信号ＶＤより、読み出しパルスをＡ、Ｂ、Ｃフィールドに対して各々印加して、それぞれのフィールド画像を順次読み出す。この際、各フィールド画像の露光時間の調節は電子シャッタパルスの印加数の調節によって行われる。メカシャッタ閉及び高速掃き出し動作は行われない。
【００２９】
また、各垂直同期信号ＶＤ期間にて読み出されるフィールドの信号は２，４００×６００のサイズであり、これらは読み出された後、プリプロセス回路１５、デジタルプロセス回路１６を経てメモリ１７に蓄積される。
【００３０】
各垂直同期信号ＶＤ期間では動画像の出力を継続する為、以下のような処理が行われる。Ａフィールドの画像を読み出した場合、メモリ１７上の２，４００×６００の画像信号に対して水平方向の画素を１／３に間引き、８００×６００にサイズ変更する。そして、図８に示すように動画像としてメモリカード２０に記録、あるいはＬＣＤ１８に表示される。図９(a)にＡフィールドの重心を＊で表す。
【００３１】
Ｂフィールドの画像を読み出した場合、メモリ１７上の２，４００×６００の画像信号に対して水平方向の画素を１／３に間引き、８００×６００にサイズ変更する。また、他の動画像信号（Ａフィールド）に対し、重心が異なる為、重心補正を施す。図９(b)にＢフィールドの重心を＊で表す。重心補正はＡフィールドの重心にあわせるよう、☆の位置に補正する。そして、重心補正を施した画像（図中※印で示す）を図８に示すように動画像としてメモリカード２０に記録、あるいはＬＣＤ１８に表示される。
【００３２】
Ｃフィールドの画像を読み出した場合、メモリ１７上の２，４００×６００の画像信号に対して水平方向の画素を１／３に間引き、８００×６００にサイズ変更する。また、他の動画像信号（Ａフィールド）に対し、重心が異なる為、重心補正を施す。図９(c)にＣフィールドの重心を＊で表す。重心補正はＡフィールドの重心にあわせるよう、☆の位置に補正する。そして、重心補正を施した画像（図中※印で示す）を図８に示すように動画像としてメモリカード２０に記録、あるいはＬＣＤ１８に表示される。
【００３３】
以上のように、動画中静止画モードでは、重心補正を施した各フィールド画像を記録／表示に用いることで、レリーズ後も動画像を途切れさせずにすむ。
【００３４】
続いて、静止画像の生成について説明する。メモリ１７上に記録されたＡ，Ｂ，Ｃの各フィールド画像はデジタルプロセス回路１６による画像処理を経て静止画像（２，４００×１，８００）として生成される。これは動画像記録／表示の終了後、メモリカード２０に記録される。
【００３５】
以上のように、本実施形態により動画像撮影中の任意の時点で、表示・記録中の動画像を途切れさせることなく、高精細な静止画像を撮影することができることとなる。
【００３６】
（第２の実施形態）
本発明の第２の実施形態に関わる動画中静止画撮影モードについて、図１０を用いて説明する。
【００３７】
動画中静止画撮影モードでは、ユーザーが操作部２２に配置されたレリーズ釦を押下することによりレリーズ信号が発生され、その信号にともない静止画撮影を開始するものとする。レリーズ信号発生前の動画像撮影については、上記の第２の撮影モードである動画像撮影モードと同等であるので、説明は省略する。
【００３８】
レリーズ信号発生後について説明する。レリーズ信号が発生されると、所定の露光時間を経てメカシャッタ１３が閉じられる。そして次の垂直同期信号ＶＤより、読み出しパルスをＡ、Ｂ、Ｃフィールドに対して各々印加して、それぞれのフィールド画像を順次読み出す。この際、メカシャッタ閉までの露光時間の調節は電子シャッタパルスの印加数の調節によって行われる。また各読み出しの前には高速掃き出し期間が設けられ、垂直転送部に残留するスミア成分等の除去を行っている。
【００３９】
また、各垂直同期信号ＶＤ期間にて読み出されるフィールドの信号は２，４００×６００のサイズであり、これらは読み出された後、プリプロセス回路１５、デジタルプロセス回路１６を経てメモリ１７に蓄積される。
【００４０】
各垂直同期信号ＶＤ期間では動画像の出力を継続する為、以下のような処理が行われる。Ａフィールドの画像を読み出した場合、メモリ１７上の２，４００×６００の画像信号に対して水平方向の画素を１／３に間引き、８００×６００にサイズ変更する。そして、図１０に示すように動画像としてメモリカード２０に記録、あるいはＬＣＤ１８に表示される。
【００４１】
Ｂフィールドの画像を読み出した場合、メモリ１７上の２，４００×６００の画像信号に対して水平方向の画素を１／３に間引き、８００×６００にサイズ変更する。また、他の動画像信号（Ａフィールド）に対し、重心が異なる為、重心補正を施す。図９(b)にＢフィールドの重心を＊で表す。重心補正はＡフィールドの重心にあわせるよう、☆の位置に補正する。そして、重心補正を施した画像（図中※印で示す）を図１０に示すように動画像としてメモリカード２０に記録、あるいはＬＣＤ１８に表示される。
【００４２】
Ｃフィールドの画像を読み出した場合、メモリ１７上の２，４００×６００の画像信号に対して水平方向の画素を１／３に間引き、８００×６００にサイズ変更する。また、他の動画像信号（Ａフィールド）に対し、重心が異なる為、重心補正を施す。図９(c)にＣフィールドの重心を＊で表す。重心補正はＡフィールドの重心にあわせるよう、☆の位置に補正する。そして、重心補正を施した画像（図中※印で示す）を図１０に示すように動画像としてメモリカード２０に記録、あるいはＬＣＤ１８に表示される。
【００４３】
以上のように、動画中静止画撮影モードでは、重心補正を施した各フィールド画像を記録／表示に用いることで、レリーズ後も動画像を途切れさせずにすむ。
【００４４】
続いて、静止画像の生成について説明する。メモリ１７上に記録されたＡ，Ｂ，Ｃの各フィールド画像はデジタルプロセス回路１６による画像処理を経て静止画像（２，４００×１，８００）として生成される。これは動画像記録／表示の終了後、メモリカード２０に記録される。
【００４５】
以上のように、本実施形態により動画像撮影中の任意の時点で、表示・記録中の動画像を途切れさせることなく、高精細な静止画像を撮影することができることとなる。さらに、全フィールドを順次読み出す際にメカニカルシャッタを閉じることにより、フィールド間の露光時刻ずれがなくなり、静止画像において動く被写体の偽色を抑えることができることとなる。
【００４６】
以上のように、第１及び第２の実施形態によれば、レリーズ釦により静止画撮影が指示されたときには、動画中静止画撮影モードになる。動画中静止画撮影モードでは、ＣＣＤ１２の全画素をインターレース走査で３フィールドに分けて順次画像信号を読み出す例を説明したが、３フィールドに限定されず、ｍフィールド（ｍは２以上の自然数）に分けて読み出すことができる。そして、その読み出したｍフィールドの画像信号を基にｍフィールドの動画像信号を生成すると共に１フレームの静止画像信号を生成する。これにより、動画像撮影中の任意の時点で、表示・記録中の動画像を途切れさせることなく、高精細な静止画像を撮影することができる。
【００４７】
また、レリーズ釦により静止画撮影が指示されないときは動画撮影モードになる。動画撮影モードでは、ｍフィールドのうちの特定の１フィールド（例えばＡフィールド）の画像信号を垂直同期信号ＶＤに同期して連続して読み出し、その連続して読み出した特定の１フィールドの画像信号を基に動画像信号を生成する。
【００４８】
上記実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【００４９】
【図１】本発明の実施形態のデジタルカメラの概略構成を示すブロック図である。
【図２】図１に示すＣＣＤの内部構成の概略を示す図である。
【図３】本発明の実施形態における、画素配列を示す図である。
【図４】本発明の実施形態における、各フィールドの画素配列を示す図である。
【図５】本発明の実施形態における、静止画撮影モードのタイミング図である。
【図６】本発明の実施形態における、動画撮影モードのタイミング図である。
【図７】本発明の実施形態における、動画撮影モードの読出し画素を示す図である。
【図８】本発明の第１の実施形態における、動画中静止画撮影モードのタイミング図である。
【図９】本発明の実施形態における、動画中静止画撮影モードの読み出し画素を示す図である。
【図１０】本発明の第２の実施形態における、動画中静止画撮影モードのタイミング図である。
【符号の説明】
【００５０】
１    光電変換素子(画素)
２    垂直転送部(ＶＣＣＤ)
３    水平転送部(ＨＣＣＤ)
４    出力アンプ部
１１  レンズなどからなる光学系
１２  ＣＣＤ
１３  メカシャッタ
１４  ＣＣＤ駆動装置
１５  プリプロセス回路
１６  デジタルプロセス回路
１７  メモリ
１８  ディスプレイ（ＬＣＤ）
１９  画像変換回路
２０  メモリカード
２１  カメラ制御部
２２  操作部
【図１】
2006238205.tif 000003
【図２】
2006238205.tif 000004
【図３】
2006238205.tif 000005
【図４】
2006238205.tif 000006
【図５】
2006238205.tif 000007
【図６】
2006238205.tif 000008
【図７】
2006238205.tif 000009
【図８】
2006238205.tif 000010
【図９】
2006238205.tif 000011
【図１０】
2006238205.tif 000012